(57)【要約】【課題】遮光膜の大きさを減らし、開口率を向上させた液晶表示装置を提供する。【解決手段】本発明の液晶表示装置は、複数のゲートライン及びデータラインの交差配列によって定義される複数の画素領域を含む液晶表示装置において、複数のデータラインのうちいずれか一つである基準データラインと、基準データラインを中心として一側に形成され基準データラインによって駆動される第１画素電極と、基準データラインの他側に形成され基準データラインと隣接するデータラインによって駆動される第２画素電極、および、基準データライン及びその隣接領域を遮断するように形成される遮光膜とを含み、基準データラインの中心と第１画素電極との間隔は、基準データラインの中心と第２画素電極との間隔より小さいことを特徴とする。【選択図】    図２
2015064544.tif 000002
【特許請求の範囲】
【請求項１】
複数のゲートライン及びデータラインの交差配列によって定義される複数の画素領域を含む液晶表示装置において、
前記複数のデータラインのうちいずれか一つである基準データラインと、
前記基準データラインを中心として一側に形成され、前記基準データラインによって駆動される第１画素電極と、
前記基準データラインの他側に形成され、前記基準データラインと隣接するデータラインによって駆動される第２画素電極、及び、
前記基準データライン及びその隣接領域を遮断するように形成される遮光膜とを含み、
前記基準データラインの中心と前記第１画素電極との間隔は、前記基準データラインの中心と前記第２画素電極との間隔より小さいことを特徴とする液晶表示装置。
【請求項２】
前記遮光膜は、前記基準データラインの中心から前記第１画素電極側と前記第２画素電極側に延長形成され、前記基準データラインの中心から前記第１画素電極側の前記遮光膜の長さが、前記中心から前記第２画素電極側の前記遮光膜の長さより短いことを特徴とする請求項１に記載の液晶表示装置。
【発明の詳細な説明】
【技術分野】
【０００１】
本発明は、液晶表示装置に関し、いずれか一つのデータラインを中心として両側に形成される二つの画素電極において、各画素電極と前記いずれか一つのデータラインとの間隔を互いに異なるように形成し、前記いずれか一つのデータラインによって駆動される画素電極側の間隔を他の画素電極側の間隔より小さく形成して、遮光膜の大きさを減らすことができ、開口率を向上させることができる液晶表示装置に関する。
【背景技術】
【０００２】
一般的に、液晶表示装置は、上部基板と下部基板が液晶層を介在して合着され、下部基板の下部または側面からバックライトが照射されて、使用者が画面を見ることができるように構成されている。
【０００３】
前記下部基板には、複数のゲートラインとデータラインが交差配列されて、画素領域が定義され、各画素領域の一側には該当画素領域に形成される駆動電極を駆動させる薄膜トランジスタが形成される。
【０００４】
前記上部基板には、各画素領域に対応する位置にカラーフィルターが形成され、各カラーフィルターの間の領域及びその他遮光が必要な領域に遮光膜（ブラックマトリックス）が形成される。
【０００５】
図１は、従来の液晶表示装置の概略図である。図１を参照すると、下部基板１１０には、ゲートラインと共に画素領域を定義するデータラインの左右側に第１画素電極１１２と第２画素電極１１３が形成される。
【０００６】
この時、第１画素電極１１２は、第２画素電極１１３との間に位置して、基準となる基準データライン１１１によって駆動されるように電気的に接続され、第２画素電極１１３は、前記基準データライン１１１と隣接するデータラインによって駆動されるように電気的に接続される。
【０００７】
この時、各画素電極は画素領域の開口率向上のために、基準データライン１１１に最大限に近接するように形成することが好ましいが、画素電極と基準データライン１１１との間に寄生キャパシタ（pixel-data-capacitor）が発生して、フリッカー（flicker）などの問題が生じるため、基準データライン１１１と一定の距離（ａ＝ｂ）となるように形成する。
【０００８】
上部基板１２０には、基準データライン１１１及びその隣接領域、すなわち、基準データライン１１１と、第１画素電極１１２及び基準データライン１１１と第２画素電極１１３との間から光が漏れることを十分に防ぐために遮光膜１２１が形成される。
【０００９】
ここで、遮光膜１２１は、基準データライン１１１の中心と遮光膜１２１の中心が一致するように形成され、第１画素電極１１２側に延長される部分と第２画素電極１１３側に延長される部分の長さが同一になるように形成される。
【発明の概要】
【発明が解決しようとする課題】
【００１０】
しかし、前記遮光膜１２１は、基準データライン１１１と第１画素電極１１２、及び基準データライン１１１と第２画素電極１１３との間から光が漏れることを十分に防ぐように形成されるため、開口率が低下する問題点があった。
【００１１】
本発明の課題は、前述のような従来の問題点を解決するためであって、データラインの中心と前記データラインの両側に配置される二つの画素電極間のそれぞれの間隔中で、前記データラインによって駆動される画素電極とデータラインの中心との間隔を、前記データラインによって駆動されない画素電極とデータラインの中心との間隔より小さくすることにより、遮光膜の大きさを減らすことができ、開口率を向上させることができる液晶表示装置を提供することにある。
【課題を解決するための手段】
【００１２】
前記課題は、本発明に従って、複数のゲートライン及びデータラインの交差配列によって定義される複数の画素領域を含む液晶表示装置において、前記複数のデータラインのうちいずれか一つである基準データラインと、前記基準データラインを中心として一側に形成され、前記基準データラインによって駆動される第１画素電極と、前記基準データラインの他側に形成され、前記基準データラインと隣接するデータラインによって駆動される第２画素電極、および、前記基準データライン及びその隣接領域を遮断するように形成される遮光膜とを含み、前記基準データラインの中心と前記第１画素電極との間隔は、前記基準データラインの中心と前記第２画素電極との間隔より小さいことを特徴とする液晶表示装置によって、達成される。
【００１３】
ここで、前記遮光膜は、前記基準データラインの中心から前記第１画素電極側と前記第２画素電極側に延長形成され、前記基準データラインの中心から前記第１画素電極側の長さが、前記中心から前記第２画素電極側の長さより短いことが好ましい。
【発明の効果】
【００１４】
本発明によれば、データラインの中心と前記データラインの両側に配置される二つの画素電極間のそれぞれの間隔中で、前記データラインによって駆動される画素電極とデータラインの中心との間隔を、前記データラインによって駆動されない画素電極とデータラインの中心との間隔より小さくすることにより、遮光膜の大きさを減らすことができ、開口率を向上させることができる液晶表示装置が提供される。
【図面の簡単な説明】
【００１５】
【図１】図１は、従来の液晶表示装置の概略図である。
【図２】図２は、本発明の一実施形態に係る液晶表示装置の概略図である。
【発明を実施するための形態】
【００１６】
以下、添付の図面を参照して、本発明の一実施形態に係る液晶表示装置について詳細に説明する。
【００１７】
図２は、本発明の一実施形態に係る液晶表示装置の概略図である。図２を参照すると、本発明の一実施形態に係る液晶表示装置は、上部基板２０と下部基板１０が液晶層３０を介在して合着されて形成される。
【００１８】
この時、下部基板１０には、複数のゲートラインとデータラインがゲート絶縁膜１２を介在して交差配列され、複数の画素領域が定義されて、その上部には絶縁膜１３が形成される。
【００１９】
そして、各画素領域には、液晶層３０に電界を形成するための画素電極が形成され、各画素領域の一側には、各画素電極の駆動のための薄膜トランジスタが形成される。
【００２０】
ここで、各画素領域に形成される画素電極は、基準データライン１１を中心として、左右側にそれぞれ位置することになる。
【００２１】
この時、前記基準データライン１１の右側に形成される画素電極を第１画素電極１４として、前記基準データライン１１の左側に形成される画素電極を第２画素電極１５とする。
【００２２】
前記第１画素電極１４は、前記基準データライン１１によって駆動され、前記第２画素電極１５は、前記基準データライン１１と隣接する、すなわち左側に位置するデータラインによって駆動される。
【００２３】
この時、前記第１画素電極１４は、前記基準データライン１１によって駆動するため、第１画素電極１４と基準データライン１１は等電位が形成されて、第１画素電極１４と基準データライン１１との間には、寄生キャパシタ（pixel-data-capacitor）が発生しないようになる。
【００２４】
また、前記第１画素電極１４と第２画素電極１５は、その中心である基準データライン１１との間隔が互いに異なるように形成され、基準データライン１１の中心と第１画素電極１４との間隔は、基準データライン１１の中心と第２画素電極１５との間隔より小さく形成される。
【００２５】
好ましくは、第１画素電極１４の基準データライン１１側の端部が基準データライン１１の右側端部に最大限に近接するように形成されるか、または基準データライン１１の右側端部と一致するように形成されるか、または基準データライン１１とオーバーラップされるように形成される。
【００２６】
一方、前記上部基板２０には、各画素領域に対応する位置にカラーフィルターが形成され、各カラーフィルターの間の領域、すなわちデータラインとゲートラインの上部及びその隣接領域を防ぐために遮光膜２１（ブラックマトリックス）が形成される。
【００２７】
すなわち、遮光膜２１が、基準データライン１１と第１画素電極１４の間隔（Ａ）から漏れる光と、基準データライン１１と第２画素電極１５の間隔（Ｂ）から漏れる光を遮断する。
【００２８】
前記遮光膜２１は、基準データライン１１と第１画素電極１４の間隔（Ａ）が、従来より狭くなることによって、遮光膜２１をＣぐらいの長さに、より小さく形成しても遮光膜２１のうち、基準データライン１１と第１画素電極１４の間隔（Ａ）を防ぐようにすることができ、開口率を増加させることができる。
【００２９】
本発明の権利範囲は、前述した実施形態に限定されるものではなく、添付した特許請求の範囲内で様々な形態の実施形態で具現することができる。特許請求の範囲で請求する本発明の要旨を逸脱することなく、当該発明の属する技術分野における通常の知識を有する者であれば誰でも変形可能な多様な範囲まで本発明の請求範囲の記載の範囲内にあるものとみなす。
【符号の説明】
【００３０】
１０   下部基板
１１   基準データライン
１２   ゲート絶縁膜
１３   絶縁膜
１４   第１画素電極
１５   第２画素電極
２０   上部基板
２１   遮光膜  
３０   液晶層
【図１】
2015064544.tif 000003
【図２】
2015064544.tif 000004